(57)【要約】【課題】光ディスクのＰＣＡを多大に使用しなくてもＯＰＣエラーを発生させずに最適記録パワーを効率良く決定できるようにする。【解決手段】ＣＰＵが、光ディスクのＰＣＡを取得し（Ｓ２）、ＯＰＣの範囲を設定し、複数の異なる記録パワーで光ディスクのＰＣＡにデータの試し書きを実行し（Ｓ３，Ｓ４）、その試し書きしたデータを再生し、そのＲＦ信号のピーク値とボトム値を取得し、そのピーク値とボトム値とに基づいて最適記録パワーを仮決めする（Ｓ５）。仮決めした最適記録パワーがＯＰＣの範囲を超えていると判断したとき（Ｓ６）、ＯＰＣの範囲の上限値と下限値を広げて複数の異なる記録パワーで光ディスクのＰＣＡにデータの試し書きを再度実行し、上記範囲を広げたＯＰＣの範囲を超えない最適記録パワーを決定する（Ｓ５〜Ｓ８）。【選択図】      図４
2004241040.tif 000002
【特許請求の範囲】
【請求項１】
光源を所定の記録パワー範囲内で定電流駆動して複数の異なる記録パワーで光ディスクに予め設けられた試し書き領域にデータの試し書きを行い、その試し書きしたデータを再生した再生信号に基づいて最適記録パワーを決定するとき、前記所定の記録パワー範囲内の記録パワーでは最適記録パワーが決定できなかった場合、前記所定の記録パワー範囲を広げ、前記光源をその広げた記録パワー範囲内で定電流駆動して複数の異なる記録パワーで前記試し書き領域にデータの試し書きを再度行い、その試し書きしたデータを再生した再生信号に基づいて最適記録パワーを決定する最適記録パワー決定手段を備えたことを特徴とする光ディスク駆動装置。
【請求項２】
請求項１記載の光ディスク駆動装置において、
前記最適記録パワー決定手段に、前記決定した最適記録パワーの近傍で細かく変化させた複数の異なる記録パワーで前記試し書き領域にデータの試し書きを再度行い、その試し書きしたデータを再生した再生信号に基づいて最適記録パワーを決定する手段を設けたことを特徴とする光ディスク駆動装置。
【請求項３】
請求項１又は２記載の光ディスク駆動装置において、
前記最適記録パワー決定手段に、前記所定の記録パワー範囲内の記録パワーでは最適記録パワーが決定できなかった場合、最適記録パワーが前記所定の記録パワー範囲の下限値よりも下回ると予想されるときは前記所定の記録パワー範囲の下限値を下げるように前記所定の記録パワー範囲を広げ、最適記録パワーが前記所定の記録パワー範囲の上限値よりも上回ると予想されるときは前記所定の記録パワー範囲の上限値を上げるように前記所定の記録パワー範囲を広げる手段を設けたことを特徴とする光ディスク駆動装置。
【請求項４】
請求項１乃至３のいずれか一項に記載の光ディスク駆動装置において、
前記最適記録パワー決定手段によって決定した最適記録パワーが前記光源の発光電流定格を超える場合、前記光ディスクへの最適記録パワー決定後のデータ記録時に記録速度を落とすと共にその記録速度に対応する記録パワーに変更してデータを記録する手段を設けたことを特徴とする光ディスク駆動装置。
【発明の詳細な説明】
【０００１】
【発明の属する技術分野】
この発明は、ＣＤ−Ｒディスク等の光ディスクに対するデータの記録及び再生を行うＣＤ−Ｒドライブ等の光ディスク駆動装置に関する。
【０００２】
【従来の技術】
現在、記録可能な高密度光ディスクとしては、レーザ光を用いて記録又は再生する方式の追記型（ライトワンス型：Ｗｒｉｔｅ  Ｏｎｃｅ型）と書換え可能型とがある。
例えば、ＣＤ−Ｒディスクのフォーマットは、図８に示す通りであり、ディスク中心部から順にパワーキャリブレーション領域（パワーキャリブレーションエリア：「ＰＣＡ」と略称する）２０，プログラムメモリ領域（プログラムメモリエリア：「ＰＭＡ」と略称する）２１，リードイン領域（リードインエリア）２２，プログラム領域（プログラムエリア）２３，リードアウト領域（リードアウトエリア）２４が設けられている。
【０００３】
ここで、ＰＣＡ２０は記録前にＣＤ−Ｒディスクの最適記録パワーを決定するためのデータ記録及び測定するエリアであり、ＰＭＡ２１はデータ追記途中のＣＤ−Ｒディスクを取り出す時に記録情報やスキップ情報を一時的に記録するエリアである。
このようなＣＤ−Ｒディスクにおいて、データ記録時の最適記録パワーを決めるために、データ記録前に記録パワーキャリブレーション（ＯＰＣ：「最適記録パワー決定」）動作を行っている。
それは、製造元毎にＣＤ−Ｒディスクの記録特性が相違することから、ＣＤ−Ｒディスク毎の最適記録パワーが必要になるためであり、ＣＤ−Ｒディスク毎に最適記録パワーが得られない場合には、記録後のエラーレートやジッタ、すなわち再生品質が急激に劣化してしまう場合がある。
【０００４】
その動作のために、ＣＤ−Ｒディスクには１００回分の試し書き領域であるテストエリア（パーティション）が設けられている。その各パーティションは１５フレームである。
光ディスク駆動装置では、光ディスク（情報記録媒体）にデータ（情報）を書き込む際、書く光ディスクの特性等の個体差のばらつきに対応して最適なレーザパワー（最適記録パワー）を設定する必要がある。
通常、光ディスクをローディングした後、内周のＰＣＡを利用してレーザパワー（記録パワー）を振ってデータの試し書きを行い、そのデータを再生して最も記録品質の良好な記録パワーを選択し、それを最適記録パワーに決定し、その最適記録パワーでＰＭＡにデータを記録していく。
【０００５】
従来の光ディスク駆動装置では、光ディスクに対するテスト記録を行うための特定区間中の一部には基準記録パワーを変更させながらテスト記録を行い、残りの区間には同様の基準記録パワーによってテスト記録を行って、各テスト記録の結果から最適記録パワーを決定することにより、光ディスクの回転による影響を反映させた最適記録パワーを利用して光ディスク上にデータを正確に記録し得るようにしている（例えば、特許文献１参照）。
【０００６】
【特許文献１】
特開２００１−２１６６４３号公報
【０００７】
【発明が解決しようとする課題】
しかしながら、最適記録パワーを決定する際、現実的には光ディスク駆動装置側の制約から広範囲に渡って細かく記録パワーを振ることは不可能であり、各光ディスクに応じて振る記録パワー範囲は限られている。さらに、同種類の光ディスクでも最適記録パワーのばらつきがあり、光ディスク駆動装置側のばらつきや光ディスク駆動装置に供給する電源電圧によるばらつきや周囲の温度又は湿度による環境のばらつきなどから予め決められた記録パワー範囲内に収まらないことが多い。
【０００８】
したがって、従来の光ディスク駆動装置では、光ディスクのＰＣＡを多大に使用してしまう場合が発生し、最終的には追記できなくなる可能性があり、ＯＰＣ動作時にエラーが発生してデータを記録できる光ディスクの種類やデータ記録時の環境等が限られてしまうという問題があった。
この発明は上記の課題を解決するためになされたものであり、光ディスクのＰＣＡを多大に使用しなくてもＯＰＣエラーを発生させずに最適記録パワーを効率良く決定できるようにすることを目的とする。
【０００９】
【課題を解決するための手段】
この発明は上記の目的を達成するため、次の（１）〜（４）の光ディスク駆動装置を提供する。
（１）光源を所定の記録パワー範囲内で定電流駆動して複数の異なる記録パワーで光ディスクに予め設けられた試し書き領域にデータの試し書きを行い、その試し書きしたデータを再生した再生信号に基づいて最適記録パワーを決定するとき、上記所定の記録パワー範囲内の記録パワーでは最適記録パワーが決定できなかった場合、上記所定の記録パワー範囲を広げ、上記光源をその広げた記録パワー範囲内で定電流駆動して複数の異なる記録パワーで上記試し書き領域にデータの試し書きを再度行い、その試し書きしたデータを再生した再生信号に基づいて最適記録パワーを決定する最適記録パワー決定手段を備えた光ディスク駆動装置。
【００１０】
（２）（１）の光ディスク駆動装置において、上記最適記録パワー決定手段に、上記決定した最適記録パワーの近傍で細かく変化させた複数の異なる記録パワーで上記試し書き領域にデータの試し書きを再度行い、その試し書きしたデータを再生した再生信号に基づいて最適記録パワーを決定する手段を設けた光ディスク駆動装置。
【００１１】
（３）（１）又は（２）の光ディスク駆動装置において、上記最適記録パワー決定手段に、上記所定の記録パワー範囲内の記録パワーでは最適記録パワーが決定できなかった場合、最適記録パワーが前記所定の記録パワー範囲の下限値よりも下回ると予想されるときは上記所定の記録パワー範囲の下限値を下げるように上記所定の記録パワー範囲を広げ、最適記録パワーが前記所定の記録パワー範囲の上限値よりも上回ると予想されるときは上記所定の記録パワー範囲の上限値を上げるように上記所定の記録パワー範囲を広げる手段を設けた光ディスク駆動装置。
【００１２】
（４）（１）乃至（３）のいずれかの光ディスク駆動装置において、上記最適記録パワー決定手段によって決定した最適記録パワーが上記光源の発光電流定格を超える場合、上記光ディスクへの最適記録パワー決定後のデータ記録時に記録速度を落とすと共にその記録速度に対応する記録パワーに変更してデータを記録する手段を設けた光ディスク駆動装置。
【００１３】
【発明の実施の形態】
以下、この発明の実施形態を図面に基づいて具体的に説明する。
図１は、この発明の一実施形態であるＣＤ−Ｒドライブ装置等の光ディスク駆動装置の構成を示すブロック図である。
同図には、光ディス駆動装置の主にレーザダイオードのパワー制御を行う周辺回路をクローズアップして示している。
【００１４】
この光ディスク駆動装置は、光ピックアップユニット（Ｐｉｃｋ  Ｕｐ  ｕｎｉｔ：ＰＵＵ）１を有し、その光ピックアップユニット１は、光ディスクに対してデータ（情報）を読み書き（再生及び記録）するために照射するレーザ光を発生させる光源のレーザダイオード（ＬＤ）１０と、ＬＤ１０を電流駆動するレーザダイオードドライバ（ＬＤＤＲ）１１と、ＬＤ１０から発振（発光）された直接光を受光し、その発光パワーを電流振幅に変換するフォトダイオード（ＰＤ）１２と、ＰＤ１２の出力信号の処理と種々のパワー制御を行うアナログフロントエンドプロセッサ（ＡＦＥＰ）１３と、ＰＵＵ１のレンズ（公知なので図示を省略）の半径方向とフォーカス方向の位置制御するアクチュエータ（Ａｃｔｕａｔｏｒ：Ａｃｔ）１４等を備えている。
【００１５】
また、ＬＤＤＲ１１に対して電流値を設定するＤＡコンバータ（ＤＡＣ）２と、光ディスクに対するデータの再生（読み出し）と記録（書き込み）の動作のコントロールとデータ処理を行うデジタルフロントエンドプロセッサ（ＤＦＥＰ）３と、この光ディスク駆動装置全体の制御を行うと共に、この発明に係る機能を実現する中央演算処理装置（ＣＰＵ）５と、ＣＰＵ５が各種の処理を実行する際の作業領域として使用し、各種の設定値等を記憶するメモリ４も備えている。
さらに、ＰＵＵ１のスレッジ方向への移動を制御するスレッジモータ（Ｓｌｅｄｇｅ  Ｍｏｔｏｒ：「ステッピングモータ」とも称する）６と、光ディスクのディスク回転を制御するスピンドルモータ（Ｓｐｉｎｄｌｅ  Ｍｏｔｏｒ）７と、スレッジモータ６，スピンドルモータ７及びアクチュエータ１４の駆動を制御するモータ・アクチュエータドライバ（Ｍｏｔｏｒ・Ａｃｔ・ＤＲ）８を備えている。
【００１６】
すなわち、上記ＣＰＵ５等が、光源を所定の記録パワー範囲内で定電流駆動して複数の異なる記録パワーで光ディスクに予め設けられた試し書き領域にデータの試し書きを行い、その試し書きしたデータを再生した再生信号に基づいて最適記録パワーを決定するとき、上記所定の記録パワー範囲内の記録パワーでは最適記録パワーが決定できなかった場合、上記所定の記録パワー範囲を広げ、上記光源をその広げた記録パワー範囲内で定電流駆動して複数の異なる記録パワーで上記試し書き領域にデータの試し書きを再度行い、その試し書きしたデータを再生した再生信号に基づいて最適記録パワーを決定する最適記録パワー決定手段の機能を果たす。
【００１７】
また、上記決定した最適記録パワーの近傍で細かく変化させた複数の異なる記録パワーで上記試し書き領域にデータの試し書きを再度行い、その試し書きしたデータを再生した再生信号に基づいて最適記録パワーを決定する手段と、上記所定の記録パワー範囲内の記録パワーでは最適記録パワーが決定できなかった場合、最適記録パワーが前記所定の記録パワー範囲の下限値よりも下回ると予想されるときは上記所定の記録パワー範囲の下限値を下げるように上記所定の記録パワー範囲を広げ、最適記録パワーが前記所定の記録パワー範囲の上限値よりも上回ると予想されるときは上記所定の記録パワー範囲の上限値を上げるように上記所定の記録パワー範囲を広げる手段の機能も果たす。
【００１８】
さらに、上記決定した最適記録パワーが上記光源の発光電流定格を超える場合、上記光ディスクへの最適記録パワー決定後のデータ記録時に記録速度を落とすと共にその記録速度に対応する記録パワーに変更してデータを記録する手段の機能も果たす。
【００１９】
次に、この発明の基礎となる最適記録パワー決定処理（「ＯＰＣ最適記録パワー決定処理」と称する）について説明する。
図２は、この発明の基礎となるＯＰＣ最適記録パワー決定処理の概略の説明に供する線図である。
まず、製造元毎に光ディスクの記録特性が相違することと、光ディスク駆動装置固有の特性，個々のばらつき，光ディスク駆動装置が設置される使用環境の温度や湿度の特性等により、光ディスクへのデータ記録時の最適記録パワーは時々刻々と変動するので、ＣＰＵ５はデータ書き込み開始直前に最適記録パワーを得るためのＯＰＣ最適記録パワー決定処理を行う。
【００２０】
図２の（ａ）は、１フレームを１つの記録レベル（記録パワー：レーザ発光パワー）に割り振り、ＬＤに流す電流値を定電流制御（ＡＣＣ）して１５ステップの記録パワー（図中の第１ステップ〜第１５ステップ）に変化させたときの各記録パワーの変化を示す線図であり、その１５ステップの記録パワーの最小値（第１ステップの記録パワー）から最大値（第１５ステップの記録パワー）までの各記録パワー３０で光ディスクのＯＰＣにデータの試し書き記録を行った後、その記録部分を再生してその各ＲＦ信号（再生信号）のエンベロープのピーク値（ＲＦＰＫ）とボトム値（ＲＦＢＴ）の電圧を検出する。
【００２１】
図２の（ｂ）には、各ＲＦ信号のピーク値の変化を示す曲線３１とボトム値の変化を示す曲線３２とを示している。
次いで、各ＲＦ信号のピーク値とボトム値とに基づいて、β＝（ＲＦＰＫ＋ＲＦＢＴ）／（ＲＦＰＫ−ＲＦＢＴ）なる演算処理でβ値を求める。図２の（ｂ）にその各β値の変化を示す曲線３３を示す。そして、そのβ値がターゲットβ値（ある設定値であり、例えば０．０４程度が推奨値である）になったポイントβ０を求め、そのβ０に対応する記録パワー（図中「Ｐβ」）あるいは直線近似から求めた記録パワーをその光ディスクの最適記録パワーＰβとして決定し、その後のデータ記録をその最適記録パワーＰβで行う。
【００２２】
ここで、帯域性能が良好な回路の場合は、ＡＣＣに限らずに定パワー制御（以下「ＡＰＣ」と称する）で行っても構わない。
しかし、近年の低コスト化要求の一方、書き込み速度の大幅な上昇の要求に伴い、高性能な回路で構成出来ない場合は、上述したようにＡＣＣにせざるを得ないであろう。
【００２３】
次に、この実施形態の光ディスク駆動装置におけるこの発明の請求項１に係るＯＰＣ最適記録パワー決定処理について説明する。
図３は、図１に示した光ディスク駆動装置におけるこの発明の請求項１に係るＯＰＣ最適記録パワー決定処理の概略の説明に供する線図である。
【００２４】
ＣＰＵ５は、ＬＤ（光源）１０を所定の記録パワー範囲４０内でＡＣＣ（定電流駆動制御）で複数の異なる記録パワー（１５ステップの記録パワー）で光ディスクに予め設けられた第１試し書き領域にデータの試し書き（ＯＰＣ）を行い、その試し書きしたデータを再生した再生信号に基づいて最適記録パワーを決定するとき、所定の記録パワー範囲４０内の記録パワーでは最適記録パワーが決定できなかった場合、所定の記録パワー範囲４０の上限値を上方に広げ（上限値Ｐ１→上限値Ｐ２）且つ下限値を下方に広げ（下限値Ｂ１→下限値Ｂ２）、ＬＤ１０をその広げた記録パワー範囲４１内で定電流駆動して複数の異なる記録パワー（１５ステップの記録パワー）で第２試し書き領域にデータの試し書きを再度行い、その試し書きしたデータを再生した再生信号に基づいて最適記録パワーを決定する。
【００２５】
このようにして、色々な条件が重なり、第１回目の第１試し書き領域での試し書きで最適記録パワーが記録パワー範囲４０内に収まらなかった場合、次のフレームを利用して第１試し書き領域での記録パワー範囲よりも広げた記録パワー範囲４１を設定して第２試し書き領域で試し書きを行って最適記録パワーを求める。
【００２６】
図４は、図１に示した光ディスク駆動装置におけるこの発明の請求項１に係るＯＰＣ最適記録パワー決定処理の処理を示すフローチャート図である。
この処理は、ＣＰＵ５が、ステップ（図中「Ｓ」で示す）１でＯＰＣ最適記録パワー決定処理を実行するか否かを判断し、ＯＰＣ最適記録パワー決定処理の実行すると判断したとき（ＯＰＣ最適記録パワー決定処理の実行の必要が発生した場合）、ステップ２で光ディスクの状態からＰＣＡカウントエリアをカウントしてＰＣＡ（試し書き領域）を取得（確保）し、ステップ３で光ディスクのディスク情報（ＤＩＳＣ情報）を取得し、そのディスク情報（ディスクの条件）からＯＰＣ中心値（試し書きのときの記録パワーの中心値）を算出する。
【００２７】
ステップ４でそのＯＰＣ中心値に基づいて所定の記録パワー範囲であるＯＰＣの範囲（中心値±中心値の３０％）を設定し、そのＯＰＣの範囲内でＡＣＣ（定電流駆動）して複数の異なる記録パワー（例えば１５ステップに変化させた各記録パワー）で光ディスクの上記取得したＰＣＡ（試し書き領域）にデータの試し書きを実行し、ステップ５でその試し書きしたデータを再生し、そのＲＦ信号（再生信号）のピーク値（ＲＦＰＫ）とボトム値（ＲＦＢＴ）を取得し、そのピーク値とボトム値と基づいてβ＝（ＲＦＰＫ＋ＲＦＢＴ）／（ＲＦＰＫ−ＲＦＢＴ）なる演算処理でβ値を算出し、そのβ値がターゲットβ値（ある設定値であり、例えば０．０４程度が推奨値である）になったβ値を求め、そのβ値に対応する記録パワーあるいは直線近似から求めた記録パワーを求め、その記録パワーを光ディスクの仮決めした最適記録パワーであるＡＣＣ最適記録パワーとして決定する。
【００２８】
ステップ６でＡＣＣ最適記録パワーが上記ＯＰＣの範囲を超えているか否かを判断し、超えているなら所定の記録パワー範囲内で最適記録パワーが決定できなかったので、ステップ７で上記ＯＰＣの範囲（所定の記録パワー範囲）の上限値と下限値を広げ、その範囲を広げたＯＰＣの範囲内でＡＣＣして複数の異なる記録パワー（例えば１５ステップに変化させた各記録パワー）で光ディスクの上記取得したＰＣＡにデータの試し書きを再度実行し、ステップ５へ戻ってその試し書きしたデータを再生し、そのＲＦ信号のピーク値とボトム値を取得し、そのピーク値とボトム値と基づいて上述と同様にしてβ値を算出し、そのβ値がターゲットβ値になったβ値を求め、そのβ値に対応する記録パワーあるいは直線近似から求めた記録パワーを求め、その記録パワーを光ディスクの仮決めした最適記録パワーであるＡＣＣ最適記録パワーとして決定し、ステップ６でＡＣＣ最適記録パワーが上記ＯＰＣの範囲を超えているか否かを判断する。
【００２９】
ステップ６の判断でＡＣＣ最適記録パワーが上記ＯＰＣの範囲を超えていないと判断されるまでステップ７，ステップ５，ステップ６の処理を繰り返し、ステップ６の判断でＡＣＣ最適記録パワーが上記ＯＰＣの範囲を超えていなければ所定の記録パワー範囲内で最適記録パワーが決定できたのであるから、ステップ８へ進んでＡＣＣ最適記録パワーを光ディスクにデータを記録するときの最適記録パワーに決定し、ＰＣＡカウントエリアに試し書きで使ったＯＰＣ領域分を記録し、この処理を終了する。
【００３０】
このようにして、ＯＰＣによる最適記録パワーの解が求まらない場合、試し書き時の記録パワーを振る範囲を拡大して再度ＯＰＣを実行し直すので、必ず最適記録パワーの解が求まり、各種のばらつきによって生じるＯＰＣエラーの発生を回避することができ、ユーザからのクレーム件数が抑えられ、光ディスク駆動装置の記録品質も向上させることができる。
【００３１】
次に、この実施形態の光ディスク駆動装置におけるこの発明の請求項２に係るＯＰＣ最適記録パワー決定処理について説明する。
上述の処理では、ＯＰＣの範囲を広げることによって各記録パワーの変化量（ＯＰＣパワーの刻み値）が大きくなる。
つまり、ＯＰＣエラーが発生した場合、ＯＰＣの範囲を広げても同じように１５段階に区切って実施するので、各記録パワー間の変化が大きくなって得られる最適記録パワーの結果の精度が粗くなり、決定された最適記録パワーの精度の低下が懸念される。
そこで、ＣＰＵ５が、ＯＰＣの範囲を拡大してＯＰＣを実行して最適記録パワーを決定したら、さらにその決定した最適記録パワーを中心値として細かく変化させた複数の異なる記録パワーでＰＣＡ（試し書き領域）にデータの試し書きを再度行い、その試し書きしたデータを再生した再生信号に基づいて最適記録パワーを決定するとよい。
【００３２】
図５は、図１に示した光ディスク駆動装置におけるこの発明の請求項２に係るＯＰＣ最適記録パワー決定処理の概略の説明に供する線図である。
ＬＤ（光源）１０を所定の記録パワー範囲内でＡＣＣ（定電流駆動制御）で複数の異なる記録パワー（１５ステップの記録パワー）で光ディスクに予め設けられた第１試し書き領域にデータの試し書き（ＯＰＣ）を行い、その試し書きしたデータを再生した再生信号に基づいて最適記録パワーを決定するとき、所定の記録パワー範囲内の記録パワーでは最適記録パワーが決定できなかった場合、所定の記録パワー範囲の上限値を上方に広げ且つ下限値を下方に広げ、図５に示すように、ＬＤ１０をその広げた記録パワー範囲５０内で定電流駆動して複数の異なる記録パワー（１５ステップの記録パワー）で第２試し書き領域にデータの試し書きを再度行い、その試し書きしたデータを再生した再生信号に基づいて最適記録パワーＰ′を仮決定する。
【００３３】
そして、さらにその仮決定した最適記録パワーを中心値として細かく変化させた複数の異なる記録パワーでＡＰＣによるＰＣＡの第３試し書き領域へのデータの試し書きを行い、その試し書きしたデータを再生した再生信号に基づいて最適記録パワーＰを決定する。
こうして、図５に示すように一旦ＡＣＣ制御による試し書き領域２で求まった最適パワーＰＡＣＣを中心に、次エリアで細かくパワーを振ったＡＰＣ制御による試し書きを行い、最適パワーＰＡＰＣを求める。ここでいうＡＰＣ制御とは、モニタの出力が所望の値になる様ＬＤに流す電流を制御してやることで、Ｐｏｗｅｒの自動制御を行っている。
【００３４】
図６は、図１に示した光ディスク駆動装置におけるこの発明の請求項２に係るＯＰＣ最適記録パワー決定処理の処理を示すフローチャート図である。
この処理は、ＣＰＵ５が、ステップ（図中「Ｓ」で示す）１１でＯＰＣ最適記録パワー決定処理を実行するか否かを判断し、ＯＰＣ最適記録パワー決定処理の実行すると判断したとき（ＯＰＣ最適記録パワー決定処理の実行の必要が発生した場合）、ステップ１２で光ディスクの状態からＰＣＡカウントエリアをカウントしてＰＣＡ（試し書き領域）を取得（確保）し、ステップ１３で光ディスクのディスク情報（ＤＩＳＣ情報）を取得し、そのディスク情報（ディスクの条件）からＯＰＣ中心値（試し書きのときの記録パワーの中心値）を算出する。
【００３５】
ステップ１４でそのＯＰＣ中心値に基づいて所定の記録パワー範囲であるＯＰＣの範囲（中心値±中心値の３０％）を設定し、そのＯＰＣの範囲内でＡＣＣ（定電流駆動）して複数の異なる記録パワー（例えば１５ステップに変化させた各記録パワー）で光ディスクの上記取得したＰＣＡ（試し書き領域）にデータの試し書きを実行し、ステップ１５でその試し書きしたデータを再生し、そのＲＦ信号（再生信号）のピーク値（ＲＦＰＫ）とボトム値（ＲＦＢＴ）を取得し、そのピーク値とボトム値と基づいてβ＝（ＲＦＰＫ＋ＲＦＢＴ）／（ＲＦＰＫ−ＲＦＢＴ）なる演算処理でβ値を算出し、そのβ値がターゲットβ値（ある設定値であり、例えば０．０４程度が推奨値である）になったβ値を求め、そのβ値に対応する記録パワーあるいは直線近似から求めた記録パワーを求め、その記録パワーを光ディスクの仮決めした最適記録パワーであるＡＣＣ最適記録パワーとして決定する。
【００３６】
ステップ１６でＡＣＣ最適記録パワーが上記ＯＰＣの範囲を超えているか否かを判断し、超えているなら所定の記録パワー範囲内で最適記録パワーが決定できなかったので、ステップ１７で上記ＯＰＣの範囲（所定の記録パワー範囲）の上限値と下限値を広げ、その範囲を広げたＯＰＣの範囲内でＡＣＣして複数の異なる記録パワー（例えば１５ステップに変化させた各記録パワー）で光ディスクの上記取得したＰＣＡにデータの試し書きを再度実行し、ステップ１５へ戻ってその試し書きしたデータを再生し、そのＲＦ信号のピーク値とボトム値を取得し、そのピーク値とボトム値と基づいて上述と同様にしてβ値を算出し、そのβ値がターゲットβ値になったβ値を求め、そのβ値に対応する記録パワーあるいは直線近似から求めた記録パワーを求め、その記録パワーを光ディスクの仮決めした最適記録パワーであるＡＣＣ最適記録パワーとして決定し、ステップ１６でＡＣＣ最適記録パワーが上記ＯＰＣの範囲を超えているか否かを判断する。
【００３７】
ステップ１６の判断でＡＣＣ最適記録パワーが上記ＯＰＣの範囲を超えていないと判断されるまでステップ１７，ステップ１５，ステップ１６の処理を繰り返し、ステップ１６の判断でＡＣＣ最適記録パワーが上記ＯＰＣの範囲を超えていなければ所定の記録パワー範囲内で最適記録パワーが仮決定できたのであるから、ステップ１８へ進んでＡＰＣでその仮決定した最適記録パワーの近傍で細かく記録パワーを変化させた記録パワーによって複数の異なる記録パワーでＰＣＡにデータの試し書きを再度行い、ステップ１９でその試し書きしたデータを再生し、そのＲＦ信号（再生信号）のピーク値（ＲＦＰＫ）とボトム値（ＲＦＢＴ）を取得し、そのピーク値とボトム値と基づいてβ＝（ＲＦＰＫ＋ＲＦＢＴ）／（ＲＦＰＫ−ＲＦＢＴ）なる演算処理でβ値を算出し、そのβ値がターゲットβ値になったβ値を求め、そのβ値に対応する記録パワーあるいは直線近似から求めた記録パワーを求め、その記録パワーを光ディスクの最適記録パワーであるＡＰＣ最適記録パワーとして決定する。
【００３８】
ステップ２０でＰＣＡカウントエリアに試し書きで使ったＯＰＣ領域分を記録し、この処理を終了する。
なお、上述の処理では、ＡＰＣにおいて、仮決定した最適記録パワーの近傍で細かく記録パワーを変化させるようにしたが、仮決定した最適記録パワーを中心値として複数の異なる記録パワーでＰＣＡにデータの試し書きを行うようにしても良い。
このようにして、試し書き時に変化させる記録パワーの範囲を広げたときには、その試し書きで決定した最適記録パワーに基づいてさらに記録パワーの刻みを細かくして再度ＯＰＣを行って最適記録パワーを決定するので、最適記録パワーの精度を高めることができる。
【００３９】
次に、この実施形態の光ディスク駆動装置におけるこの発明の請求項３に係るＯＰＣ最適記録パワー決定処理について説明する。
上述の処理においてＯＰＣの範囲を中心値に対して一様に上方と下方の両方向に広げると（上限値を上げて下限値を下げて広げると）求まる最適記録パワーの精度が落ちる可能性がある。
そこで、ＣＰＵ５は、決定パワー算出値が低くなる場合は下側のみを下げ、また高くなる場合は上側の範囲のみを上げる。つまり、上記ＯＰＣの範囲内の記録パワーでは最適記録パワーが決定できなかった場合、最適記録パワーがＯＰＣの範囲の下限値よりも下回ると予想されるときは上記ＯＰＣの範囲の下限値を下げるように範囲を広げ、最適記録パワーがＯＰＣの範囲の上限値よりも上回ると予想されるときは上記ＯＰＣの範囲の上限値を上げるように範囲を広げるとよい。
【００４０】
例えば、低温環境下では発光効率が上がるため、パワー範囲の下限値付近で最適記録パワーが求まる確率が高く、逆に高温では上限値付近で求まる。
したがって、最適記録パワーが記録パワーの範囲の最下限値よりも下回ると予想されるエラーが発生した場合、下限値のみ下げてＯＰＣを実施する。
逆に、最上限値よりも上回ると予想されるエラーが発生した場合、上限値のみあげてＯＰＣを実施する。
その予想については、例えば、光ディスク駆動装置に温度センサを設け、ＣＰＵ５がＯＰＣ時に温度センサから受け取った温度に基づいて判断すると良い。
このようにして、試し書き時に変化させる記録パワーの範囲を広げるときには、最適記録パワーが得られる可能性の高い方に範囲を広げる（下限値側あるいは上限値側）ので、試し書きの回数を少なくして効率よく最適記録パワーを求めることができる。
【００４１】
次に、この実施形態の光ディスク駆動装置におけるこの発明の請求項４に係るＯＰＣ最適記録パワー決定処理について説明する。
上述の処理では、最適記録パワーが求まるまで何度もリトライするので、ＬＤの発光電流定格値にまで達する可能性があり、特に低反射率の光ディスクではＯＰＣで決定した最適記録パワーがＬＤの発光電流定格値をオーバーしてしまう可能性が高く、そのような発光電流定格値を超えた記録パワーでＬＤを駆動すると破壊に至る恐れがある。
【００４２】
そこで、ＣＰＵ５は、予め記録パワーの上限値を装置内に記憶しておき、リトライによってＬＤの発光電流定格値まで達してその値を超えてしまった場合（ＯＰＣによって決定した最適記録パワーがＬＤの発光電流定格値をオーバーする場合）、光ディスクへの最適記録パワー決定後のデータ記録時に強制的に記録速度（ライト速度）を落とすと共に、その記録速度に対応する記録パワーに変更して発光電流定格値を超えない記録パワーでデータを記録するとよい。
【００４３】
図７は、図１に示した光ディスク駆動装置におけるこの発明の請求項４に係るＯＰＣ最適記録パワー決定処理の処理を示すフローチャート図である。
この処理は、ＣＰＵ５が、ステップ（図中「Ｓ」で示す）３１でＯＰＣ最適記録パワー決定処理を実行するか否かを判断し、ＯＰＣ最適記録パワー決定処理の実行すると判断したとき（ＯＰＣ最適記録パワー決定処理の実行の必要が発生した場合）、ステップ３２で光ディスクの状態からＰＣＡカウントエリアをカウントしてＰＣＡ（試し書き領域）を取得（確保）し、ステップ３３で光ディスクのディスク情報（ＤＩＳＣ情報）を取得し、そのディスク情報（ディスクの条件）からＯＰＣ中心値（試し書きのときの記録パワーの中心値）を算出する。
【００４４】
ステップ３４でそのＯＰＣ中心値に基づいて所定の記録パワー範囲であるＯＰＣの範囲（中心値±中心値の３０％）を設定し、そのＯＰＣの範囲内でＡＣＣ（定電流駆動）して複数の異なる記録パワー（例えば１５ステップに変化させた各記録パワー）で光ディスクの上記取得したＰＣＡ（試し書き領域）にデータの試し書きを実行し、ステップ３５でその試し書きしたデータを再生し、そのＲＦ信号（再生信号）のピーク値（ＲＦＰＫ）とボトム値（ＲＦＢＴ）を取得し、そのピーク値とボトム値とに基づいてβ＝（ＲＦＰＫ＋ＲＦＢＴ）／（ＲＦＰＫ−ＲＦＢＴ）なる演算処理でβ値を算出し、そのβ値がターゲットβ値（ある設定値であり、例えば０．０４程度が推奨値である）になったβ値を求め、そのβ値に対応する記録パワーあるいは直線近似から求めた記録パワーを求め、その記録パワーを光ディスクの仮決めした最適記録パワーであるＡＣＣ最適記録パワーとして決定する。
【００４５】
ステップ３６でＡＣＣ最適記録パワーが上記ＯＰＣの範囲を超えているか否かを判断し、超えているなら所定の記録パワー範囲内で最適記録パワーが決定できなかったので、ステップ３７で上記ＯＰＣの範囲（所定の記録パワー範囲）の上限値と下限値を広げ、その範囲を広げたＯＰＣの範囲内でＡＣＣして複数の異なる記録パワー（例えば１５ステップに変化させた各記録パワー）で光ディスクの上記取得したＰＣＡにデータの試し書きを再度実行し、ステップ３５へ戻ってその試し書きしたデータを再生し、そのＲＦ信号のピーク値とボトム値を取得し、そのピーク値とボトム値とに基づいて上述と同様にしてβ値を算出し、そのβ値がターゲットβ値になったβ値を求め、そのβ値に対応する記録パワーあるいは直線近似から求めた記録パワーを求め、その記録パワーを光ディスクの仮決めした最適記録パワーであるＡＣＣ最適記録パワーとして決定し、ステップ３６でＡＣＣ最適記録パワーが上記ＯＰＣの範囲を超えているか否かを判断する。
【００４６】
ステップ３６の判断でＡＣＣ最適記録パワーが上記ＯＰＣの範囲を超えていないと判断されるまでステップ３７，ステップ３５，ステップ３６の処理を繰り返し、ステップ３６の判断でＡＣＣ最適記録パワーが上記ＯＰＣの範囲を超えていなければ所定の記録パワー範囲内で最適記録パワーが決定できたのであるから、ステップ３８へ進んでＡＣＣ最適記録パワーを光ディスクにデータを記録するときの最適記録パワーに決定し、ＰＣＡカウントエリアに試し書きで使ったＯＰＣ領域分を記録する。
【００４７】
そして、ＣＰＵ５は最適記録パワー決定後、ステップ３９で実ライト時（データ記録時）に上記決定した最適記録パワーがＬＤの発光電流定格値を超えるか否かを判断し、超えなければそのまま処理を終了し、上記最適記録パワーでデータを記録するが、超えていたら、ステップ４０で実ライト時（ＰＭＡへのデータ記録時）のディスク回転速度（ＤＩＳＣ回転速度）を落とす設定をし、ステップ４１で上記決定した最適記録パワーをその設定したディスク回転速度に対応した記録パワーに変更してこの処理を終了し、光ディスクへの最適記録パワー決定後のデータ記録時に記録速度を落とすと共にその記録速度に対応する記録パワーに変更してデータを記録する。
【００４８】
このようにして、決定された最適記録パワーがＬＤの発光電流定格値を超えるときには、その最適記録パワーよりも低い記録パワーで実データを記録するように制御するので、ＬＤを発光電流定格値以上の記録パワーで駆動させないようにして、ＬＤが破壊されることを防止することができる。
【００４９】
【発明の効果】
以上説明してきたように、この発明の光ディスク駆動装置によれば、光ディスクのＰＣＡを多大に使用しなくてもＯＰＣエラーを発生させずに最適記録パワーを効率良く決定することができる。
【図面の簡単な説明】
【図１】この発明の一実施形態であるＣＤ−Ｒドライブ装置等の光ディスク駆動装置の構成を示すブロック図である。
【図２】この発明の基礎となるＯＰＣ最適記録パワー決定処理の概略の説明に供する線図である。
【図３】図１に示す光ディスク駆動装置におけるこの発明の請求項１に係るＯＰＣ最適記録パワー決定処理の概略の説明に供する線図である。
【図４】図１に示す光ディスク駆動装置におけるこの発明の請求項１に係るＯＰＣ最適記録パワー決定処理の処理を示すフローチャート図である。
【図５】図１に示す光ディスク駆動装置におけるこの発明の請求項２に係るＯＰＣ最適記録パワー決定処理の概略の説明に供する線図である。
【図６】図１に示す光ディスク駆動装置におけるこの発明の請求項２に係るＯＰＣ最適記録パワー決定処理の処理を示すフローチャート図である。
【図７】図１に示す光ディスク駆動装置におけるこの発明の請求項４に係るＯＰＣ最適記録パワー決定処理の処理を示すフローチャート図である。
【図８】ＣＤ−Ｒディスクのフォーマットを示す説明図である。
【符号の説明】
１：光ピックアップユニット
２：ＤＡコンバータ
３：デジタルフロントエンドプロセッサ
４：メモリ          ５：ＣＰＵ
６：スレッジモータ  ７：スピンドルモータ
８：モータ・アクチュエータドライバ
１０：レーザダイオード
１１：レーザダイオードドライバ
１２：フォトダイオード
１３：アナログフロントエンドプロセッサ
１４：アクチュエータ
２０：パワーキャリブレーション領域（ＰＣＡ）
２１：プログラムメモリ領域（ＰＭＡ）
２２：リードイン領域  ２３：プログラム領域
２４：リードアウト領域
【図１】
2004241040.tif 000003
【図２】
2004241040.tif 000004
【図３】
2004241040.tif 000005
【図４】
2004241040.tif 000006
【図５】
2004241040.tif 000007
【図６】
2004241040.tif 000008
【図７】
2004241040.tif 000009
【図８】
2004241040.tif 000010